(57)【要約】      （修正有）【課題】攪拌機能を具有するエアフライヤー及びその加熱蓋を提供する。【解決手段】フライヤーは、鍋本体及びその開口を覆う加熱蓋２０を具え、蓋本体の仕切り板２１２によって加熱蓋の内部を設置室２１１０及び熱風室２１１１に分け、第一作動器２２及び第二作動器２４を該設置室内に固定する。さらに、熱風供給モジュール２３を熱風室内に設置して、第一作動器により送風ファン２３２を回転駆動し、食材の攪拌部品２６を熱風室内に設置し、第二作動器により減速歯車セット２５を介して回転駆動することによって食材を攪拌する。【選択図】図４
0003182772.tif 000002
【実用新案登録請求の範囲】
【請求項１】
蓋本体、第一作動器、熱風供給モジュール、第二作動器、減速歯車セット、攪拌部品により構成し、
該蓋本体は、エアフライヤーの開口を覆うカバー及び該カバーの内部を設置室及び熱風室に分ける仕切り板を具え、
該第一作動器は、該設置室内に固定され、該第一作動器により回転駆動される第一駆動軸を具有し、
該熱風供給モジュールは、該熱風室内に設置された加熱部品及び上記第一駆動軸により駆動されて回転する送風ファンを具え、
該第二作動器は、該設置室内に固定され、且つ第一作動器の片側に位置して該第二作動器により回転駆動される第二駆動軸を具有し、
該減速歯車セットは、上記第二駆動軸により駆動され、
該攪拌部品は、該熱風室内に設置されて該減速歯車セットと接続されて回転駆動されることを特徴とするエアフライヤーの加熱蓋の構造。
【請求項２】
更に、第一作動器及び該送風ファンの間に位置する放熱ファンを具え、該放熱ファンは第一駆動軸と同軸に設置することを特徴とする請求項１記載のエアフライヤーの加熱蓋の構造。
【請求項３】
該減速歯車セットは、該第二駆動軸と接続する第一歯車及び、該第一歯車と噛合する第二歯車からなり、該攪拌部品は該第二歯車と同軸に設置することを特徴とする請求項１記載のエアフライヤーの加熱蓋の構造。
【請求項４】
該第一歯車は第一駆動軸の外側にある軸と套合する伝動軸及び、該伝動軸と接続する伝動歯車とからなることを特徴とする請求項３記載のエアフライヤーの加熱蓋の構造。
【請求項５】
更に、一つのサポート網を具え、該サポート網と該仕切り板は相対して該熱風供給モジュールの両サイドに位置することを特徴とする請求項４記載のエアフライヤーの加熱蓋の構造。
【請求項６】
該第一歯車は、更に、ネジ穴を設けたロッド及びネジを有し、該ロッドを該伝動歯車に通し、該サポート網は該ネジ穴に対応する穴を設けて、該ネジを該穴に通してから該ネジ穴に螺合して固定することを特徴とする請求項５記載のエアフライヤーの加熱蓋の構造。
【請求項７】
該攪拌部品は、回轉軸及び該回転軸と接続する攪拌フィンを具え、該回轉軸は該サポート網に挿通して該第二歯車に結合することを特徴とする請求項５記載のエアフライヤーの加熱蓋の構造。
【請求項８】
更に、加熱スイッチ及び攪拌スイッチを具え、該加熱スイッチは第一作動器と電気的に接続し、該攪拌スイッチは第二作動器と電気的に接続することを特徴とする請求項１記載のエアフライヤーの加熱蓋の構造。
【請求項９】
鍋本体、加熱蓋からなり、
鍋本体は、食材を収容する食材スペース及び食材スペースの上部に形成する一つの開口を具有し、
加熱蓋は、該開口に対応して覆うと共に、該加熱蓋は、蓋本体、第一作動器、熱風供給モジュール、第二作動器、減速歯車、攪拌部品を具え、
該蓋本体は、カバー及び該カバーの内部を設置室及び熱風室に分ける仕切り板を具え、
該第一作動器は、該設置室内に固定され、該第一作動器により回転駆動される第一駆動軸を具有し、
該熱風供給モジュールは、該熱風室内に設置された加熱部品及び上記第一駆動軸により駆動されて回転する送風ファンを具え、
該第二作動器は、該設置室内に固定され、且つ第一作動器の片側に位置して該第二作動器により回転駆動される第二駆動軸を具有し、
該減速歯車セットは、上記第二駆動軸により駆動され、
該攪拌部品は、該熱風室内に設置されて該減速歯車セットと接続されて回転駆動されることを特徴とする攪拌機能を具有するエアフライヤーの構造。
【請求項１０】
更に、該加熱蓋は、第一作動器及び該送風ファンの間に位置する放熱ファンを具え、該放熱ファンは第一駆動軸と同軸に設置することを特徴とする請求項９記載の攪拌機能を具有するエアフライヤーの構造。
【請求項１１】
該減速歯車セットは、該第二駆動軸と接続する第一歯車及び、該第一歯車と噛合する第二歯車からなり、該攪拌部品は該第二歯車と同軸に設置することを特徴とする請求項９記載の攪拌機能を具有するエアフライヤーの構造。
【請求項１２】
該第一歯車は第一駆動軸の外側にある軸と套合する伝動軸及び、該伝動軸と接続する伝動歯車とからなることを特徴とする請求項１１記載の攪拌機能を具有するエアフライヤーの構造。
【請求項１３】
更に、該加熱蓋は、サポート網を具え、該サポート網と該仕切り板は相対して該熱風供給モジュールの両サイドに位置することを特徴とする請求項１１記載の攪拌機能を具有するエアフライヤーの構造。
【請求項１４】
該第一歯車は、更に、ネジ穴を設けたロッド及びネジを有し、該ロッドを該伝動歯車に通し、該サポート網は該ネジ穴に対応する穴を設けて、該ネジを該穴に通してから該ネジ穴に螺合して固定することを特徴とする請求項１３記載の攪拌機能を具有するエアフライヤーの構造。
【請求項１５】
該攪拌部品は、回轉軸及び該回転軸と接続する攪拌フィンを具え、該回轉軸は該サポート網に挿通して該第二歯車に結合することを特徴とする請求項１３記載の攪拌機能を具有するエアフライヤーの構造。
【請求項１６】
前記攪拌部品は、該回転軸と接続するツメ、ツメと掛合するアダプタリング、食材スペース内に固定する一つのサポート軸及び、該サポート軸と接続する攪拌フィンを具えることを特徴とする請求項１５記載の攪拌機能を具有するエアフライヤーの構造。
【請求項１７】
該蓋本体は、更に、加熱スイッチ及び攪拌スイッチを具え、該加熱スイッチは第一作動器と電気的に接続し、該攪拌スイッチは第二作動器と電気的に接続することを特徴とする請求項１５記載の攪拌機能を具有するエアフライヤーの構造。
【考案の詳細な説明】
【技術分野】
【０００１】
本考案はエアフライヤーの構造に関し、特に攪拌機能を具有するエアフライヤー及び加熱蓋の構造に関する。
【背景技術】
【０００２】
現在市販されているエアフライヤーの加熱装置は、通常鍋蓋に設置し、鍋蓋で生じる高温の空気を鍋の中にある食物に流すことで、高温気体によって持続して食物を加熱する。このほか、現在のエアフライヤーは更に鍋内部にある食材(ポテト、コーンなど)を攪拌する機能を具有することで、食材が全体的に高温の空気に触れて均一に加熱することができる。
【０００３】
従来のエアフライヤーの攪拌機能は、作動部品を通じて一組の減速歯車及び一枚の攪拌ファンを動かして食材を攪拌するもので、減速歯車セットの多くを内鍋の底部に設置している。しかし、減速歯車セットを内鍋の底部に設置すると連動構造を増やす必要があるため、エアフライヤーの内部スペースがそれにより狭くなることを鑑みて、更なる改善が必要であった。
【先行技術文献】
【特許文献】
【０００４】
【特許文献１】特表２００８−５３８８０７号公報
【考案の概要】
【考案が解決しようとする課題】
【０００５】
前記公知構造の欠点を解決するため、本考案は攪拌機能を具有するエアフライヤー及び加熱蓋の構造を提供し、エアフライヤーの内鍋のスペースを確保しつつ、食材を攪拌できる目的を提供することを主な課題とする。
【課題を解決するための手段】
【０００６】
上述の目的を達成するために、本考案は攪拌機能を具有するエアフライヤーの加熱蓋の構造を提供するものである。本考案のエアフライヤーの加熱蓋は、蓋本体、第一作動器、熱風供給モジュール、第二作動器、減速歯車セット及び攪拌部品からなる。該蓋本体は、カバー及び仕切り板を有し、該仕切り板はカバーの内部を設置室及び熱風室に分ける。該第一作動器を該設置室内に固定し、且つ該第一作動器は第一駆動軸を具有する。該熱風供給モジュールを該熱風室内に設置する。該熱風供給モジュールは、加熱部品及び、第一駆動軸の駆動によって回転する送風ファンからなる。該第二作動器は該設置室内に固定し、且つ該第一作動器の片側に位置する。該第二作動器は第二駆動軸を具有し、該減速歯車セットは該第二駆動軸に駆動されて運転する。該攪拌部品は該熱風室内に設置し、該減速歯車セットと接続する。
【０００７】
上述の目的を解決するために、本考案は攪拌機能を具有するエアフライヤーの構造を提供するものである。本考案の攪拌機能を具有するエアフライヤーは、鍋本体及び加熱蓋からなり、該鍋本体は食材スペース及び該食材スペースの上部に形成する一つの開口を具有する。該加熱蓋は該開口の上に対応して覆う。加熱蓋は、蓋本体、第一作動器、熱風供給モジュール、第二作動器、減速歯車セット及び攪拌部品からなり、該蓋本体はカバー及び仕切り板を具え、該仕切り板はカバーの内部を設置室及び熱風室に分ける。該第一作動器を該設置室内に固定し、且つ該第一作動器は第一駆動軸を具有する。該熱風供給モジュールを該熱風室内に設置する。該熱風供給モジュールは、加熱部品及び、第一駆動軸の駆動によって回転する送風ファンからなる。該第二作動器は該設置室内に固定し、且つ該第一作動器の片側に位置する。該第二作動器は第二駆動軸を具有し、該減速歯車セットは該第二駆動軸に駆動されて運転する。更に該攪拌部品は該熱風室内に設置し、該減速歯車セットと接続する。
【０００８】
本考案の他の目的は、攪拌機能を具有するエアフライヤー及び加熱蓋の構造を提供することにある。該蓋本体１に加熱スイッチ及び攪拌スイッチを設置し、それぞれ第一作動器及び第二作動器をコントロールする。それによりそれぞれ熱風供給モジュール及び攪拌部品の運転をコントロールすることで、ユーザーが必要に応じて起動できる便利性を持つ。
【０００９】
従来技術と比較し、本考案の仕切り板によって加熱蓋の内部を設置室及び熱風室に分ける。第一作動器及び第二作動器を設置室内に設置し、熱風供給モジュールは熱風室内に設置する。第二作動器が減速歯車を駆動して攪拌部品を回転させる。本考案の減速歯車の構造がシンプルで簡単に製造でき、故障率が低く且つ食材スペースを占領しないため、攪拌部品の動きに有利である。更に本考案の第一作動器及び第二作動器はそれぞれ熱風供給モジュール及び攪拌部品の運転を駆動するため、ユーザーが必要に応じて起動できる便利性を持つ。
【考案の効果】
【００１０】
本考案は蓋本体にある仕切り板によって加熱蓋の内部を設置室及び熱風室に分け、第一作動器及び第二作動器を該設置室内に固定する。熱風供給モジュールを熱風室内に設置し、減速歯車は第二作動器の駆動によって動く。該攪拌部品を熱風室内に設置し、減速歯車セットと接続する。このようにエアフライヤーの鍋の内側スペースを確保することができ、食材を攪拌する目的に達する。
【図面の簡単な説明】
【００１１】
【図１】本考案のエアフライヤーの立体外観略図である。
【図２】本考案の加熱蓋の立体外観略図である。
【図３】本考案の加熱蓋の部分立体分解略図である。
【図４】本考案の加熱蓋の組立断面図である。
【図５】本考案の加熱蓋を開けた略図である。
【図６】本考案のエアフライヤーの組立断面図である。
【考案を実施するための形態】
【００１２】
本考案による攪拌機能を具有するエアフライヤー及び加熱蓋の構造を明確に示すために図に沿って詳細な説明を行う。添付した図式は参考及び説明のためのものであり、本考案の権利範囲を制限するものではない。
【００１３】
図１に示すのは、本考案のエアフライヤーの立体外観略図である。本考案は攪拌機能を具有するエアフライヤー及び加熱蓋を具え、該エアフライヤー１は鍋本体１０及び加熱蓋２０を有する。該加熱蓋２０は、該鍋本体１０の上を覆い、且つ熱い気流を作り出して該鍋本体１０内にある食材を加熱する。
【００１４】
図２に示すのは、本考案の加熱蓋の立体外観略図である。該加熱蓋２０は、蓋本体２１、第一作動器２２、熱風供給モジュール２３、第二作動器２４、減速歯車セット２５及び攪拌部品２６から構成される。
該第一作動器２２は、該減速歯車セット２５を作動し、更に該減速歯車セット２５を通じて該攪拌部品２６を駆動して回転させることにより、鍋本体１０内の食材を攪拌する。
【００１５】
本考案の実施例において、該蓋本体１は更に加熱スイッチ２及び攪拌スイッチ３を具える。該加熱スイッチ２は、第一作動器２２と電気的に接続し、該攪拌スイッチ３は第二作動器２４と電気的に接続する。すなわち、該加熱スイッチ２は該熱風供給モジュール２３の運転をコントロールし、該攪拌スイッチ３は該攪拌部品２６の運転をコントロールする。
【００１６】
図３及び図４に示すのは、それぞれ本考案の加熱蓋の部分立体分解略図及び組立断面図である。該蓋本体２１は、カバー２１１及び仕切り板２１２を具える。該仕切り板２１２はカバー２１１の内部を設置室２１１０及び熱風室２１１１に分けるためのものである。該第一作動器２２を該設置室２１１０内に固定し、且つ該第一作動器２２は第一駆動軸２２１を具有する。
【００１７】
該熱風供給モジュール２３を該熱風室２１１１内に設置する。該熱風供給モジュール２３は、仕切り板２１２の下方に固定する加熱部品２３１及び、該加熱部品２３１の内周に位置して第一駆動軸２２１の駆動によって回転する送風ファン２３２を具える。
該加熱部品２３１は熱エネルギーを提供するもので、実施の形態として従来の電熱型加熱管或いはハロゲン加熱管などとすることができる。
【００１８】
本考案の一つの実施例として、該加熱蓋２０は、更に第一作動器２２及び該送風ファン２３２の間に位置する一つの放熱ファン２７を有する。該放熱ファン２７は第一駆動軸２２１と同軸に設置し、該設置室内２１１０内の熱気を散らすためのものである。
【００１９】
該第二作動器２４は、該設置室２１１０内に固定し、且つ該第一作動器２２の片側に位置する。該第二作動器２４は、第二駆動軸２４１を具有し、該減速歯車セット２５は該第二駆動軸２４１に駆動されて運転する。更に、該攪拌部品２６は該熱風室内に設置する。該攪拌部品２６は該減速歯車セット２５と接続し、且つ該減速歯車セット２５の駆動によって回転する。後に該減速歯車セット２５構造の詳細説明を行う。
【００２０】
該減速歯車セット２５は、該第二駆動軸２４１と接続する第一歯車２５１及び該第一歯車２５１と噛合する第二歯車２５２からなる。該攪拌部品２６は、該第二歯車２５２と同軸に設置する。
【００２１】
本考案の一つの実施例として、該第一歯車２５１は、第一駆動軸２２１の外側にある軸と套合する伝動軸２５１１及び、該伝動軸２５１１と接続する伝動歯車２５１２を有する。
【００２２】
最適実施例として、該加熱蓋２０は更に一つのサポート網２８を具える。該サポート網２８と前記仕切り板２１２は相対して該熱風供給モジュール２３の両サイドに位置する。また、該第一歯車２５１は、更にネジ穴２５０を設けたロッド２５１３及びネジ２５１４を具える。
【００２３】
上記サポート網２８を組み合わせる時、該サポート網２８は該ネジ穴２５０に対応する穴２８０を設けて、該ロッド２５１３を該伝動歯車２５１２に通し、ネジ２５１４を該穴２８０に通して該ネジ穴２５０に螺合することにより該サポート網２８を該加熱蓋２０に固定する。このほか、該攪拌部品２６は回轉軸２６１を具え、該回轉軸２６１は該サポート網２８に通して該第二歯車２５２に結合する。
【００２４】
図５及び図６に示すのは、それぞれ本考案の加熱蓋を開けた略図及びエアフライヤーの組立断面図である。該鍋本体１０は、食材スペース１００及び該食材スペース１００の上部に形成される開口１１を具有する。該加熱蓋２０は該開口１１の上に対応して覆う。
【００２５】
本考案の一つの実施例として、該攪拌部品２６は更に該回転軸２６１と接続するツメ２６２、ツメ２６２と掛合するアダプタリング２６３、食材スペース１００内に固定するサポート軸２６４及び、該サポート軸と接続する攪拌フィン２６５を具える。それにより、該第一作動器２２は該第一駆動軸２２１を駆動し、且つ該第一駆動軸２２１により、該放熱ファン２７及び該送風ファン２３２を回転させる。
他方、該第二作動器２４により該第二駆動軸２４１を駆動し、該第二駆動軸２４１により該減速歯車セット２５が回転する。更に、該減速歯車セット２５により該攪拌部品２６を回転させる。よって、該攪拌フィン２６５が食材スペース１００内で回転し、食材を攪拌する。
【００２６】
本考案の攪拌部品２６は第二作動器２４及び該減速歯車セット２５の駆動によって回転する。当該構造はシンプル且つ組立が簡単であるため、大幅に故障の発生率を下げ、本考案の実用性を高める。
【００２７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２８】
１  エアフライヤー
１０  鍋本体
１００  食材スペース
１１  開口
２０  加熱蓋
２１  蓋本体
２１１  カバー
２１１０  設置室
２１１１  熱風室
２１２  仕切り板
２２  第一作動器
２２１  第一駆動軸
２３  熱風供給モジュール
２３１  加熱部品
２３２  送風ファン
２４  第二作動器
２４１  第二駆動軸
２５  減速歯車セット
２５０  ネジ穴
２５１  第一歯車
２５１１  伝動軸
２５１２  伝動歯車
２５１３  ロッド
２５１４  ネジ
２５２  第二歯車
２６  攪拌部品
２６１  回転軸
２６２  ツメ
２６３  アダプタリング
２６４  サポート軸
２６５  攪拌フィン
２７  放熱ファン
２８  サポート網
２８０  穴
【図１】
0003182772.tif 000003
【図２】
0003182772.tif 000004
【図３】
0003182772.tif 000005
【図４】
0003182772.tif 000006
【図５】
0003182772.tif 000007
【図６】
0003182772.tif 000008